(57)【要約】【課題】物理チャンネル毎に仮想チャンネル番号、および番組が放送されているサブチャンネル番号を記憶するとともに、チャンネルの登録を物理チャンネル毎に行うことで、ユーザの使い勝手を向上させた受信装置を提供する。【解決手段】受信装置１は、制御部２に設けられているメモリに記憶しているチャンネル情報に基く映像の映像信号を出力しながら、チャンネルの登録／登録解除を受け付ける構成としたので、ユーザに対して仮想チャンネルと、物理チャンネルとの対応を示しながら、物理チャンネルの登録／登録解除の操作を行わせることができる。これにより、ユーザが未登録の物理チャンネルであっても簡単に登録することができ、ユーザの使い勝手を向上させることができる。【選択図】図５
2004214777.tif 000002
【特許請求の範囲】
【請求項１】
選択されているサブチャンネルを含む物理チャンネルのディジタル放送信号、またはアナログ放送信号を受信する受信手段と、
上記受信手段が受信した物理チャンネルのディジタル放送信号またはアナログ放送信号から、選択されている上記サブチャンネルで放送されている番組の放送信号を抽出し、この放送信号をデコードした映像信号、および音声信号を出力する番組出力手段と、を備えた受信装置において、
物理チャンネル毎に、登録されているチャンネルであるかどうか、仮想チャンネル番号、番組を放送しているサブチャンネル番号、およびアナログ放送であるかディジタル放送であるかを示す情報、を対応付けたチャンネル情報を記憶するチャンネル情報記憶手段と、
上記チャンネル情報記憶手段に記憶されているチャンネル情報に基いて、物理チャンネルの番号、登録の有無、仮想チャンネル番号、および番組を放送しているサブチャンネル番号を対応付けた映像を、選択されているサブチャンネルで放送されている番組の映像に重ね合わせた映像信号を生成して出力するチャンネル情報出力手段と、
上記チャンネル情報出力手段による上記映像信号の出力を行っているときに、選択されているサブチャンネルを含む物理チャンネルについて、登録、または登録解除を受け付ける登録受付手段と、
上記受信手段で受信するディジタル放送信号の物理チャンネルを順番に切り換えながら、受信した物理チャンネル毎に割り当てられている仮想チャンネルの番号、および番組を放送しているサブチャンネルの番号を取得するチャンネル情報取得手段と、
上記チャンネル情報取得手段が取得した上記チャンネル情報に基いて、上記チャンネル情報記憶手段に記憶している上記チャンネル情報を更新する更新手段と、
選択された物理チャネルについて、ディジタル放送信号、またはアナログ放送信号を受信できなかったとき、他方の放送信号を受信できるかどうかを確認し、この物理チャンネルがディジタル放送のチャンネルであるか、アナログ放送のチャンネルであるかを判定する判定手段を備えた受信装置。
【請求項２】
選択されているサブチャンネルを含む物理チャンネルのディジタル放送信号を受信する受信手段と、
上記受信手段が受信した物理チャンネルのディジタル放送信号から、選択されている上記サブチャンネルで放送されている番組の放送信号を抽出し、この放送信号をデコードした映像信号、および音声信号を出力する番組出力手段と、を備えた受信装置において、
物理チャンネル毎に、登録されているチャンネルであるかどうか、仮想チャンネル番号、および番組を放送しているサブチャンネル番号を対応付けたチャンネル情報を記憶するチャンネル情報記憶手段と、
上記チャンネル情報記憶手段に記憶されているチャンネル情報に基いて、物理チャンネルの番号、登録の有無、仮想チャンネル番号、および番組を放送しているサブチャンネル番号を対応付けた映像信号を生成して出力するチャンネル情報出力手段と、
上記チャンネル情報出力手段による上記映像信号の出力を行っているときに、物理チャンネル毎に登録、または登録解除を受け付ける登録受付手段と、を備えた受信装置。
【請求項３】
上記チャンネル情報出力手段は、選択されているサブチャンネルで放送されている番組の映像に、上記チャンネル情報に基く映像を重ね合わせた映像信号を生成して出力し、
上記登録受付手段は、選択されているサブチャンネルを含む物理チャンネルについて、登録、または登録解除を受け付ける請求項２に記載の受信装置。
【請求項４】
上記受信手段で受信するディジタル放送信号の物理チャンネルを順番に切り換えながら、受信した物理チャンネル毎に割り当てられている仮想チャンネルの番号、および番組を放送しているサブチャンネルの番号を取得するチャンネル情報取得手段と、
上記チャンネル情報取得手段が取得した上記チャンネル情報に基いて、上記チャンネル情報記憶手段に記憶している上記チャンネル情報を更新する更新手段と、を備えた請求項２または３に記載の受信装置。
【請求項５】
上記受信手段は、アナログ放送信号を受信する機能を有し、
上記チャンネル情報記憶手段に記憶している上記チャンネル情報には、ディジタル放送のチャンネルであるか、アナログ放送のチャンネルであるかを示す情報が含まれている請求項２〜４のいずれかに記載の受信装置。
【請求項６】
選択された物理チャネルについて、ディジタル放送信号、またはアナログ放送信号を受信できなかったとき、他方の放送信号を受信できるかどうかを確認し、この物理チャンネルがディジタル放送のチャンネルであるか、アナログ放送のチャンネルであるかを判定する判定手段を備えた請求項５に記載の受信装置。
【発明の詳細な説明】
【０００１】
【発明の属する技術分野】
この発明は、ディジタル放送の番組を受信し、この番組の映像信号、および音声信号を出力する受信装置に関する。
【０００２】
【従来の技術】
従来、ディジタル放送の番組を受信する受信装置には、チャンネルを登録するチャンネル登録機能が設けられている。チャンネル登録機能は、ユーザの選局操作をスムーズに行わせ、使い勝手を向上させる機能である。具体的には、チャンネルのアップ／ダウン操作による選局において、未登録のチャンネルをスキップさせる機能である。したがって、番組が放送されていないチャンネルや、自分の好みに合わない番組を放送しているチャンネルを登録しなければ（未登録のチャンネルにしておくことで）、これらのチャンネルが選局されることがなく、チャンネルのアップ／ダウン操作による選局がスムーズに行える。このチャンネル登録機能を有するディジタル放送の受信装置としては、例えば特許文献１、２に示されている。
【０００３】
また、ディジタル放送では、周波数帯域を示す物理チャンネルに仮想チャンネルを割り当てている。仮想チャンネルは、同じ放送局や系列の放送局が複数の物理チャンネルを使用して番組を放送している場合に、これらの物理チャンネルの関連性をユーザに認識させるために使用されている。例えば、同じ放送局や系列の放送局が使用している複数の物理チャンネルに、同じ仮想チャンネル番号を割り当てることにより、これらの物理チャンネルの関連性をユーザに認識させている。一般的なユーザは、物理チャンネルではなく仮想チャンネルで放送局や、放送されている番組を認識している。
【０００４】
さらに、ディジタル放送では、上述のように１つの物理チャンネルで複数の番組を同時に放送することから、サブチャンネルを設けている。番組は、サブチャンネル単位で放送される。
【０００５】
【特許文献１】
特開２００２−２３２８０１号公報
【特許文献２】
特開２００２−７７７４９号公報
【０００６】
【発明が解決しようとする課題】
しかしながら、従来の受信装置は、登録されたチャンネルをメモリに記憶し、登録が解除されたチャンネルをメモリから削除する構成であった。また、選択されているチャンネルについて登録、登録解除を受け付ける構成であった。一方、チャンネルを登録する場合、登録するチャンネルは未登録であるのでチャンネルのアップ／ダウン操作により選局することができないので、物理チャンネルをダイレクトに入力して選局しなければならない。上述のように、ユーザは物理チャンネルではなく、仮想チャンネルで放送局を認識しているので、対応する物理チャンネルを確認しなければならず、チャンネルの登録（登録するチャンネルの選局）に手間がかかるという問題があった。
【０００７】
また、誤ってチャンネルの登録を解除した場合等、チャンネルを再登録する場合も上記と同様に、対応する物理チャンネルを確認しなければならず、チャンネルの登録に手間がかかる。
【０００８】
このように、従来の受信装置においては、チャンネルを登録するときに手間がかかり、使い勝手が良くないという問題があった。
【０００９】
この発明の目的は、物理チャンネル毎に仮想チャンネル番号、および番組が放送されているサブチャンネル番号を記憶し、チャンネルの登録時に物理チャンネルと仮想チャンネルとを対応付けた情報を出力して、物理チャンネル毎に登録を受け付けることで、チャンネルの登録にかかるユーザの使い勝手を向上させた受信装置を提供することにある。
【００１０】
【課題を解決するための手段】
この発明の受信装置は、上記課題を解決するために以下の構成を備えている。
【００１１】
（１）選択されているサブチャンネルを含む物理チャンネルのディジタル放送信号を受信する受信手段と、
上記受信手段が受信した物理チャンネルのディジタル放送信号から、選択されている上記サブチャンネルで放送されている番組の放送信号を抽出し、この放送信号をデコードした映像信号、および音声信号を出力する番組出力手段と、を備えた受信装置において、
物理チャンネル毎に、登録されているチャンネルであるかどうか、仮想チャンネル番号、および番組を放送しているサブチャンネル番号を対応付けたチャンネル情報を記憶するチャンネル情報記憶手段と、
上記チャンネル情報記憶手段に記憶されているチャンネル情報に基いて、物理チャンネルの番号、登録の有無、仮想チャンネル番号、および番組を放送しているサブチャンネル番号を対応付けた映像信号を生成して出力するチャンネル情報出力手段と、
上記チャンネル情報出力手段による上記映像信号の出力を行っているときに、物理チャンネル毎に登録、または登録解除を受け付ける登録受付手段と、を備えている。
【００１２】
この構成では、チャンネル情報記憶手段が、物理チャンネル毎に、登録の有無にかかわらず、割り当てられている仮想チャンネル番号、および番組が放送されているサブチャンネル番号、さらには登録、未登録を示す情報を対応付けたチャンネル情報を記憶している。また、チャンネル情報出力手段が、このチャンネル情報記憶手段に記憶しているチャンネル情報に基いて、物理チャンネルの番号、仮想チャンネルの番号、番組を放送しているサブチャンネルの番号、さらにはチャンネルの登録、未登録を対応付けた映像の映像信号を生成して出力する。登録受付手段が、チャンネル情報出力手段による上記映像信号の出力を行っているときに、物理チャンネル毎に登録、または登録解除を受け付ける。
【００１３】
このように、登録の有無にかかわらず、物理チャンネル毎に、割り当てられている仮想チャンネル番号、番組が放送されているサブチャン番号、さらには登録、未登録を示す情報を対応付けた映像を表示して、チャンネルの登録、登録解除を受け付けるようにしたので、この映像の表示によってユーザに物理チャンネルと仮想チャンネルとの対応を確認させ、物理チャンネルの登録、登録解除にかかる操作を行わせることができ、使い勝手を向上させることができる。
【００１４】
（２）上記チャンネル情報出力手段は、選択されているサブチャンネルで放送されている番組の映像に、上記チャンネル情報に基く映像を重ね合わせた映像信号を生成して出力し、
上記登録受付手段は、選択されているサブチャンネルを含む物理チャンネルについて、登録、または登録解除を受け付ける。
【００１５】
この構成では、登録、または登録を解除するチャンネルで放送されている番組の映像をユーザに見せながら、登録、登録解除にかかる操作を行わせることができ、使い勝手を一層向上させることができる。
【００１６】
（３）上記受信手段で受信するディジタル放送信号の物理チャンネルを順番に切り換えながら、受信した物理チャンネル毎に割り当てられている仮想チャンネルの番号、および番組を放送しているサブチャンネルの番号を取得するチャンネル情報取得手段と、
上記チャンネル情報取得手段が取得した上記チャンネル情報に基いて、上記チャンネル情報記憶手段に記憶している上記チャンネル情報を更新する更新手段と、を備えている。
【００１７】
この構成では、チャンネル情報取得手段が、物理チャンネルを切り換えながら、物理チャンネル毎に仮想チャンネル番号、および番組が放送されているサブチャンネル番号を取得し、チャンネル情報記憶手段の記憶内容を更新する。
【００１８】
これにより、これまで使用されていなかった物理チャンネルであっても、ディジタル放送が開始されたときに、この物理チャンネルの登録が簡単に行える。
【００１９】
（４）上記受信手段は、アナログ放送信号を受信する機能を有し、
上記チャンネル情報記憶手段に記憶している上記チャンネル情報には、ディジタル放送のチャンネルであるか、アナログ放送のチャンネルであるかを示す情報が含まれている。
【００２０】
この構成では、アナログ放送の物理チャンネルも受信することができる。
【００２１】
（５）選択された物理チャネルについて、ディジタル放送信号、またはアナログ放送信号を受信できなかったとき、他方の放送信号を受信できるかどうかを確認し、この物理チャンネルがディジタル放送のチャンネルであるか、アナログ放送のチャンネルであるかを判定する判定手段を備えている。
【００２２】
この構成では、選択した物理チャンネルがディジタル放送であるか、アナログ放送であるかを、ユーザが意識する必要がない。
【００２３】
【発明の実施の形態】
以下、この発明の実施形態である受信装置について説明する。
【００２４】
図１は、この発明の実施形態である受信装置の構成を示すブロック図である。この実施形態の受信装置１は、制御部２、チューナ３、ディジタル処理部４、アナログ処理部５、合成画像生成部６、および操作部７を備えている。
【００２５】
制御部２は、本体の動作を制御するとともに、後述するチャンネル情報を記憶するメモリ（ＥＥＰＲＯＭ）を有している。チューナ３は、アンテナ１１で受信された放送信号から選択されている物理チャンネルの放送信号を抽出する。チューナ３は、抽出した放送信号がディジタル放送信号であれば、このディジタル放送信号をディジタル処理部４に入力し、抽出した放送信号がアナログ放送信号であれば、このアナログ放送信号をアナログ処理部５に入力する。
【００２６】
ディジタル処理部４は、入力されたディジタル放送信号から選択されているサブチャンネルのデータ（番組のデータ）を抽出し、これをデコードした映像信号、および音声信号を出力する。アナログ処理部５は入力されたアナログ放送信号を処理した映像信号、および音声信号を出力する。合成画像生成部６は、ディジタル処理部４、またはアナログ処理部５から入力された映像信号の映像に、ＯＳＤ画像（例えば後述するチャンネル情報の映像）を重ね合わせた合成映像の映像信号を生成し出力する。合成画像生成部６から出力された映像信号は、映像出力端子８から外部に出力される。また、ディジタル処理部４またはアナログ処理部５から出力された音声信号は、音声出力端子９から外部に出力される。
【００２７】
なお、合成映像生成部６は、ディジタル処理部４、またはアナログ処理部５から入力された映像信号を加工することなく、そのまま出力する場合もある。
【００２８】
操作部７には、本体に対して入力操作を行うキーが配置されているとともに、リモコン装置から送信されてきた制御コマンドを受信するリモコン受信部も設けられている。また、図１に示す１０は、映像出力端子８から出力された映像信号、および音声出力端子９から出力された音声信号が入力される表示装置（例えばテレビ受像機）である。
【００２９】
周知のように、ディジタル放送では、周波数帯域に対応する物理チャンネルに、仮想チャンネル番号を割り当てている。また、同時に複数の番組を放送するために、サブチャンネルを設けている。一方、アナログ放送では、物理チャンネルに対して仮想チャンネルを割り当てたり、サブチャンネルを設けるという考えはないが、ここでは便宜的にアナログ放送の物理チャンネルについては、この物理チャンネルの番号を仮想チャンネル番号として割り当て、番組が放送されているサブチャンネルの番号を「０」にしている。
【００３０】
なお、ディジタル放送において、サブチャンネルの番号に「０」が使用されることはない。
【００３１】
図２は、制御部に設けられているメモリに記憶しているチャンネル情報を示す図である。このチャンネル情報は、図２に示すように、物理チャンネル毎に登録の有無、仮想チャンネル番号、番組が放送されているサブチャンネル番号を対応付けた情報である。上記説明から明らかなように、メモリには登録されていない物理チャンネルについても、チャンネル情報が記憶されている。また、チャンネル情報において、番組が放送されているサブチャンネルの番号が「０」であるのはアナログ放送の物理チャンネルであり、番組が放送されているサブチャンネルの番号が「０」以外であるのはディジタル放送の物理チャンネルであり、さらに番組が放送されているサブチャンネルが存在しないチャンネルはテレビ放送に使用されていない物理チャンネルである。
【００３２】
次に、この実施形態の受信装置１の動作について説明する。
【００３３】
まず、最初にユーザが番組を視聴するときの動作について簡単に説明する。ユーザは、視聴する番組が放送されているチャンネルを選択している。
【００３４】
受信装置１は、ディジタル放送の物理チャンネルが選択されている場合、チューナ３で選択されている物理チャンネルのディジタル放送信号を抽出し、ディジタル処理部４に入力する。ディジタル処理部４は、入力されたディジタル放送信号から選択されているサブチャンネルのデータを抽出し、これをデコードした映像信号、および音声信号を生成する。映像信号は、合成画像生成部６に入力される。合成画像生成部６は、入力された映像信号を映像出力端子８から出力する。
【００３５】
なお、合成画像生成部６において、入力された映像信号の映像に例えば現在時刻を示す映像を重ね合わせた合成映像の映像信号を作成させ、この合成映像の映像信号を映像出力端子８から出力させることもできる。
【００３６】
また、ディジタル処理部４で処理された音声信号は、音声出力端子９から出力される。
【００３７】
一方、受信装置１は、アナログ放送の物理チャンネルが選択されている場合、チューナ３で選択されている物理チャンネルのアナログ放送信号を抽出し、アナログ処理部５に入力する。アナログ処理部５は、入力されたアナログ放送信号を処理して映像信号、および音声信号を生成する。映像信号は、合成画像生成部６に入力される。合成画像生成部６は、入力された映像信号を映像出力端子８から出力する。音声信号は、音声出力端子９から出力される。
【００３８】
なお、上記ディジタル放送の物理チャンネルが選択されている場合と同様に、合成画像生成部６において、入力された映像信号の映像に例えば現在時刻を示す映像を重ね合わせた合成映像の映像信号を作成させ、この合成映像の映像信号を映像出力端子８から出力させることもできる。
【００３９】
したがって、ユーザは、選択しているチャンネルがディジタル放送の物理チャンネルであっても、アナログ放送の物理チャンネルであっても、映像出力端子８、および音声出力端子９に接続された表示装置１０において、選択しているチャンネルで放送されている番組を視聴することができる。
【００４０】
次に、チャンネルの切り換え時の処理について説明する。図３は、受信装置におけるチャンネル切換時の動作を示すフローチャートである。受信装置１は、チャンネルの切り換え指示があると、切り換えるチャンネルがディジタル放送のチャンネルであるか、アナログ放送のチャンネルであるかを判定する（ｓ１）。ｓ１にかかる判定は、図２に示したメモリに記憶されているチャンネル情報に基いて判定する。具体的には、今回切り換えるチャンネルについて記憶されている番組が放送されているサブチャンネルの番号が「０」であるかどうかにより、上記判定を行う。サブチャンネルの番号が「０」であればアナログ放送、サブチャンネルの番号が「０」以外であればディジタル放送と判定する。
【００４１】
受信装置１は、ｓ１でディジタル放送のチャンネルであると判定すると、チューナ３で今回切り換える物理チャンネルの放送信号を抽出し、これをディジタル処理部４に入力する（ｓ２）。ディジタル処理部４では、入力された放送信号からＶＣＴを取り出す（ｓ３）。ディジタル放送信号には、周知のように仮想チャンネル番号、および現在番組を放送しているサブチャンネルの番号を示す情報として、ＶＣＴが含まれている。
【００４２】
受信装置１は、ｓ３でＶＣＴが取り出せなかった場合、チューナ３で抽出した放送信号をアナログ処理部５に入力する（ｓ４）。この処理は、今回切り換えた物理チャンネルがディジタル放送のチャンネルではなく、アナログ放送のチャンネルであるかどうかを確認するために行う。受信装置１は、アナログ処理部５において入力された放送信号から映像信号、および音声信号が抽出できると、今回切り換えたチャンネルをアナログ放送の物理チャンネルであると判断し、メモリに記憶している該当する物理チャンネルのチャンネル情報を更新する（ｓ５、ｓ６）。反対に、アナログ処理部５において入力された放送信号から映像信号、および音声信号が抽出できなかった場合、未使用の物理チャンネルであると判断する（ｓ７）。このとき、メモリに記憶している該当する物理チャンネルのチャンネル情報については更新しない。
【００４３】
また、ｓ３でＶＣＴが取り出せると、メモリに記憶している該当する物理チャンネルのチャンネル情報と、このＶＣＴで示されているチャンネル情報とが一致しているかどうかを判断し、一致していなければメモリに記憶している該当する物理チャンネルのチャンネル情報を更新する（ｓ８、ｓ６）。
【００４４】
また、受信装置１は、ｓ１でアナログ放送のチャンネルであると判定すると、チューナ３で今回切り換える物理チャンネルの放送信号を抽出し、これをアナログ処理部５に入力する（ｓ１０）。受信装置１は、アナログ処理部５において入力された放送信号から映像信号、および音声信号が抽出できないと、チューナ３で抽出した放送信号をディジタル処理部４に入力する（ｓ１１、ｓ１２）。この処理は、今回切り換えた物理チャンネルがアナログ放送のチャンネルではなく、ディジタル放送のチャンネルであるかどうかを確認するために行う。ディジタル処理部４は、入力された放送信号からＶＣＴを取り出す（ｓ１３）。受信装置１は、ｓ１３でＶＣＴが取り出せなかった場合、未使用の物理チャンネルであると判断する（ｓ７）。ｓ１３でＶＣＴが取り出せると、メモリに記憶している該当する物理チャンネルのチャンネル情報を、このＶＣＴで示されているチャンネル情報に更新する（ｓ１４）。
【００４５】
なお、受信装置１は、本処理の終了後、上述したユーザが番組を視聴するときの動作を行う。また、番組の放送に使用されていない未使用の物理チャンネルであると判断した場合、映像出力端子８から黒一色の映像の映像信号を出力するようにしてもよいし、合成画像生成部６において「現在番組が放送されていません。」等のメッセージを表示する映像の映像信号を生成し、この映像信号を映像出力端子８から出力するようにしてもよい。
【００４６】
このように、チャンネルを切り換えたときに、切り換えたチャンネルについて、メモリに記憶しているチャンネル情報が適正であるかどうかを確認し、適正でなければ更新するようにしたので、例えばアナログ放送で使用されていた物理チャンネルが、ディジタル放送で使用されるようになっても、ユーザがそのことを意識する必要がない。
【００４７】
なお、上記処理でメモリに記憶しているチャンネル情報を更新する際、物理チャンネルの登録の有無にかかる情報については更新しない。
【００４８】
また、この図３に示したチャンネル切換時の動作を、物理チャンネルを順番に切り換えながら、繰り返し実行させることもできる。この場合、全ての物理チャンネルについて、メモリに記憶しているチャンネル情報の更新が行える。
【００４９】
次に、チャンネルの登録／登録解除にかかる動作について説明する。図４は、チャンネルの登録／登録解除にかかる処理を示すフローチャートである。
【００５０】
受信装置１は、登録／登録解除の処理の開始要求があると、この処理を実行する。この開始要求は、本体に設けられた操作部７や、リモコン装置において所定の入力操作が行われたときに、本体に入力される。
【００５１】
受信装置１は、上記開始要求があると、制御部２に設けられているメモリに記憶しているチャンネル情報を読み出す（ｓ２１）。そして、このチャンネル情報に基く映像を、現在選択されているチャンネルで放送されている番組の映像に重ねあわせた合成映像信号を生成し（ｓ２２）、この合成映像信号を映像出力端子８から出力する（ｓ２３）。
【００５２】
なお、このとき選択されているチャンネルは、アナログ放送のチャンネルであってもよいし、ディジタル放送のチャンネルであってもよい。
【００５３】
図５は、ｓ２３で出力された合成映像信号が入力された表示装置１０における表示画面を示す図である。図５に示すように、現在選択されているチャンネルで放送されている番組の映像に、チャンネル情報を重ね合わせた合成映像が表示される。この合成映像において、カーソルが位置しているチャンネル（図中において反転表示しているチャンネル）が現在選択されているチャンネルである。この合成映像では、物理チャンネル毎に、登録、未登録を示す情報、ディジタル放送であるかアナログ放送であるかを示す情報、仮想チャンネルおよびサブチャンネルを示す情報が表示される。
【００５４】
受信装置１は、この状態で選択しているチャンネルの切り換え要求があると（ｓ２４）、この指示にしたがって受信する番組のチャンネルを切り換え（ｓ２５）、ｓ２２に戻る。操作部７、またはリモコン装置で所定の入力操作（カーソルのアップ／ダウンを指示する操作）を行うことにより、選択しているチャンネルを切り換えることができる。
【００５５】
なお、この処理では未登録のチャンネルであっても選択できる。
【００５６】
受信装置１は、チャンネルの切り換え要求にしたがって切り換えたチャンネルで放送されている番組の映像信号を合成画像生成部６に入力する。また、合成画像生成部６はカーソルを切り換えられたチャンネルに移動させた合成画像の映像信号を生成する。
【００５７】
受信装置１は、チャンネルの登録／登録解除の要求があると（ｓ２６）、このとき選択されているチャンネルが登録されているチャンネルであれば、このチャンネルの登録を解除する（未登録のチャンネルとする。）（ｓ２７、ｓ２８）。反対に、未登録のチャンネルであればこのチャンネルを登録する（ｓ２７、ｓ２９）。
【００５８】
なお、受信装置１は、物理チャンネル毎に登録を受け付けるので、選択されているチャンネルがディジタル放送のサブチャンネルである場合、このサブチャンネルを含む物理チャンネルについて登録解除、または登録を行う。
【００５９】
受信装置１は、ｓ２８、またはｓ２９の処理を実行すると、ｓ２に戻って上記処理を繰り返す。
【００６０】
また、受信装置１は、チャンネルの登録、登録解除の処理の終了要求が入力されると（ｓ３０）、この処理を終了する。
【００６１】
このように、この実施形態の受信装置１は、制御部２に設けられているメモリに記憶しているチャンネル情報に基く映像の映像信号を出力しながら、チャンネルの登録／登録解除を受け付ける構成としたので、ユーザに対して仮想チャンネルと、物理チャンネルとの対応を示しながら、物理チャンネルの登録／登録解除の操作を行わせることができる。これにより、ユーザが未登録の物理チャンネルであっても簡単に登録することができ、ユーザの使い勝手を向上させることができる。
【００６２】
また、ユーザに対して、現在選択されているチャンネル、すなわち登録／登録解除の対象となるチャンネルで放送されている番組の映像を見せながら、物理チャンネルの登録／登録解除の操作を行わせることができる。これにより、ユーザが誤って、登録されている物理チャンネルの登録を解除したり、不要な物理チャンネルを登録するのを防止できる。これにより、ユーザの使い勝手を一層向上させることができる。
【００６３】
【発明の効果】
以上のように、この発明によれば、本体に記憶しているチャンネル情報に基く映像の映像信号を出力しながら、チャンネルの登録／登録解除を受け付ける構成としたので、ユーザに対して仮想チャンネルと、物理チャンネルとの対応を示しながら、物理チャンネルの登録／登録解除の操作を行わせることができる。これにより、ユーザが未登録の物理チャンネルであっても簡単に登録することができ、ユーザの使い勝手を向上させることができる。
【００６４】
また、ユーザに対して、現在選択されているチャンネル、すなわち登録／登録解除の対象となるチャンネルで放送されている番組の映像を見せながら、物理チャンネルの登録／登録解除の操作を行わせることができる。これにより、ユーザが誤って、登録されている物理チャンネルの登録を解除したり、不要な物理チャンネルを登録するのを防止できる。これにより、ユーザの使い勝手を一層向上させることができる。
【００６５】
これまでアナログ放送で使用されていた物理チャンネルがディジタル放送で使用されるようになっても、反対にこれまでディジタル放送で使用されていた物理チャンネルがアナログ放送で使用されるようになっても、選局時に本体に記憶しているチャンネル情報が自動的に更新されるので、ユーザがそのことを意識する必要がない。
【図面の簡単な説明】
【図１】この発明の実施形態である受信装置の構成を示すブロック図である。
【図２】制御部に設けられているメモリに記憶しているチャンネル情報を示す図である。
【図３】受信装置におけるチャンネル切換時の動作を示すフローチャートである。
【図４】チャンネルの登録／登録解除にかかる処理を示すフローチャートである。
【図５】チャンネルの登録／登録解除に本体から出力される映像信号による映像を示す図である。
【符号の説明】
１−受信装置
２−制御部
３−チューナ
４−ディジタル処理部
５−アナログ処理部
６−合成画像生成部
【図１】
2004214777.tif 000003
【図２】
2004214777.tif 000004
【図３】
2004214777.tif 000005
【図４】
2004214777.tif 000006
【図５】
2004214777.tif 000007